Podtech/llm-jp-corpus-v4-ja_patent huggingface dataset:
(57)【要約】【課題】室内で練習できなかったゴルフスイングを室内練習できるとともに、連続してスイング練習できるようにする。【解決手段】室内天井にひも（５）で吊るした軽量ボール（２）を短尺クラブ（１）で打球する。このときひも（６）で吊るした制振用重りの作用により、ひも（５）の振り子運動にブレーキがかかり軽量ボールが停止する。この動きにより連続して練習ができるようになる。スイングの良し悪しは軽量ボールと短尺クラブの当り具合、軽量ボールの振れる方向によって判定できる。【選択図】　図２
0003096839.tif 000002
【実用新案登録請求の範囲】
【請求項１】
天井から吊るしたひも（５）に軽量ボール（２）を吊るしたゴルフスイング練習器具。
【考案の詳細な説明】
【０００１】
【考案の属する技術分野】
本考案はゴルフ技術の上達を目的とした練習器具であり、室内でゴルフスイングの練習をする器具に関するものである。
【０００２】
【従来の技術】
ゴルフ練習場でのスイング時の体及びクラブの動きが早くスイング中の体の動きと、クラブヘッドの動き、クラブフェースの向きの関係が実感できずミスショットの原因の把握が困難であった。またクラブを使って打球する室内練習は危険であった。
【０００３】
【考案の実施の形態】
本考案は、室内天井に吊るしたひもに取付けた軽量ボール（２）をグリップとクラブヘッドを直結した短尺クラブ（１）で打ち、スイング練習を行うものである。本考案による器具により室内練習ができるため、ゴルフ技術が早期に上達するものである。それを図面について説明すれば天井の支点（Ａ）で吊るしたひも（５）と軽量ボール（２）が軽量ボールを打球すると前方に振れる。この時支点（Ｂ）から吊るした制振重り（３）が支点となり周期の異なった振り子運動をするため、ひも（６）の先端に取付けたリング金具（４）が支点（Ａ）を中心としたひも（５）の振り子運動のブレーキとなり軽量ボール（２）を停止させる作用がある。この動きにより連続してスイング練習ができるものである。
【０００４】
【考案の効果】
本考案の器具セットによりゴルフの室内練習が可能となり、ゴルフ技術の上達に役立つ。また室内遊具、室内運動器具としても利用できる。
【図面の簡単な説明】
【図１】ボール飛球線後方よりみた立面図である。
【図２】プレイヤー正面よりみた立面図である。
【符号の説明】
（１）　短尺クラブ
（２）　軽量ボール（市販品）
（３）　制振用重り
（４）　リング金具
（５）　吊りひも
（６）　吊りひも
（７）　長さ調整金具
（Ａ）　支点
（Ｂ）　支点
【図１】
0003096839.tif 000003
【図２】
0003096839.tif 000004
(57)【要約】【課題】閉じられた１つの鎖体とした立体物を繋いだまま形態を変えてその１面を同一色に、花や動物などの絵に、数字を順に並べるなどの遊びができる玩具とし、遊びを終えた後は立体物を立方体と繋ぎ材に容易に分解できる。収納にも便利である。【解決手段】各立方体の各面に、同じ大きさの貫通孔を各面の対角線上を同じ距離はなれた位置に貫通させる。さらに、立方体の各稜から貫通孔まで切込みを設ける。繋ぎ材は両端に心棒を備え、その間を曲げに耐えるもので繋げる。立方体を繋ぎ材で繋ぎ閉じられた１つの鎖体とした立体物をつくり、形態をかえることによって課題を解決できる。また、立体物を立方体と繋ぎ材に容易に分解できる。収納にも便利である。【選択図】　図４
0003096834.tif 000002
【実用新案登録請求の範囲】
【請求項１】
繋ぎ材を立方体の各面に設けた同じ大きさの貫通孔に装着することにより複数個の立体物にできる着脱可能な立方体で構成される玩具。
【請求項２】
前記貫通孔が各面の対角線の交点からそれぞれの対角線上を同じ距離はなれた点を中心として貫通し、立方体の各稜から各面の中心に向かって貫通孔まで切込みが設けられた請求項１記載の着脱可能な立方体で構成される玩具。
【請求項３】
前記繋ぎ材は両端に前記貫通孔に挿入引出しができる心棒を備え、その間を可撓性の部材で連結された請求項１又は２記載の着脱可能な立方体で構成される玩具。
【考案の詳細な説明】
【０００１】
【考案の属する技術分野】本考案は玩具に関するものである。
【０００２】
【従来の技術】
従来の玩具は、縁に沿って互いに関着式に結合片で結合された多数の立方体から成っているものがあり、結合片は立方体から分離できない（例えば、特許文献１参照。）
また、多面体の１面に回転板をもうけ、その回転板の１端と他の多面体の回転板の１端とを蝶番で繋げているものもある。繋げたものは容易に分解できない（例えば、特許文献２参照。）
【０００３】
【特許文献１】
特公昭４５−２５４６号公報
【特許文献２】
実開昭５８−７０２９４号公報
【０００４】
【考案が解決しようとする課題】
繋げた立体物を繋げたまま形態を変えることにより立体物の一面を、同一色に、又は１つの絵に、又は数字を順に並べるなどの遊びができ、遊びを終えた後は立体物をもとの立方体と繋ぎ材に容易に分解できる。
【０００５】
【課題を解決するため手段】
繋ぎ材を立方体の各面に設けた同じ大きさの貫通孔に装着することにより複数個の立体物にできる着脱可能な立方体で構成された玩具である。そして、前記貫通孔は各面の対角線の交点からそれぞれの対角線上を同じ距離はなれた点を中心として貫通し、各稜から各面の中心に向かって貫通孔まで切込みが設けられている。又、繋ぎ材は両端に前記貫通孔に挿入引出しができる心棒を備え、その間を可撓性の部材で連結されている。上記のように構成するのは、繋いだ立体物を繋げたまま形態を変えることにより立体物の一面を、同一色に、又は１つの絵に、又は数字を順に並べるなどの遊びができ、遊びを終えた後は繋ぎ材を引出すことで立体物をもとの立方体と繋ぎ材に容易に分解できるようにするためである。
【０００６】
【考案の実施の形態】
本考案の実施の形態を実施例となる図面を参照して説明する。
イ．本考案に用いる立方体Ａの１辺の大きさは１０ｍｍ〜５００ｍｍの範囲で選んでよい。材質は木、プラスチック、硬質ゴム又は金属で作ってもよい。
ロ．立方体Ａに設けられる貫通孔３の形状は円、三角、四角、多角形など任意に作ることができる。
ハ．また、立方体Ａに設けられる切込み６は繋ぎ材２の繋ぎ部５が挿入引き出しできる厚みで、かつ貫通孔３までとする。
ニ．貫通孔３に挿入される繋ぎ材２は両端に心棒を備えその間を可撓性の部材で連結したもので、心棒４の形状は貫通孔３の形状に合わせる。そして心棒４間を連結する繋ぎ部５部材はエステル幌布、ビニール、布、また心棒４はプラスチック、ビニールなどで製作してもよい。
ホ．実施例として、立方体Ａの１辺が４０ｍｍの木製、貫通孔３及び繋ぎ材２の心棒４の形状を円形とし、さらに繋ぎ材２の材質は繋ぎ部５がエステル幌布、心棒４はビニールとして説明する。
ヘ．立方体Ａの各面に直径が４ｍｍの貫通孔３を各面の対角線の交点からそれぞれの対角線上１２ｍｍ離れた点を中心として貫通させる。各稜から各面の中心線に向かって貫通孔３まで幅１．５ｍｍの切込み６を設ける。繋ぎ材２は全幅３８ｍｍの両端にビニールでつくった心棒４を入れた直径３．５ｍｍの円形とし、心棒４を繋いでいる繋ぎ部５の部材は厚さ０．７ｍｍのエステル幌布で、高さは３５　　ｍｍにする。
ト．立体物Ａを８個（Ａ１〜Ａ８）用いたの１例である図４について繋ぎ方を説明する。立方体Ａ１の縦の貫通孔３に繋ぎ材２の１端の心棒４部を挿入し、他端の心棒４部を他の立方体Ａ２の縦の貫通孔３に挿入する。この結果、繋ぎ部５は双方の切込み６幅に挿入された状態になっている。次に、立方体Ａ２の繋ぎ材２を挿入した貫通孔３と同じ対角線上にある貫通孔３と他の立方体Ａ３の貫通孔３とを繋ぎ材２で繋ぐ。同じ要領で次の立方体Ａ４を繋ぎ、２個×２の立体物を２つ（Ａ１〜Ａ４，Ａ５〜Ａ８）つくる。
チ．その２つのブロックを既繋ぎ材２と９０°の方向の平面上で立方体Ａ１とＡ８、Ａ４とＡ５を繋ぎ、２個×４個の１つの閉ざされた鎖体（Ａ１、Ａ２−−−−−Ａ７、Ａ８）の立体物にする。
リ．できた立体物Ａ１〜Ａ８を繋いだまま図５に示すように形態をかえ、立体物の一面を同一色にできる。
【０００７】
【考案の効果】本玩具は１つの閉じられた鎖体をつくっていく際に適切に立方体を繋がなければならない。そのため、思考に時間を要し、かつ指先を使う頻度も多くなるので脳が活性化され高齢者の痴呆症などの防止に効果がある。
【０００８】幼児や小学低学年などの遊びに使用すると知育学習の効果が期待できる。
【０００９】さらに、２列×４個に繋いだ立体物の最大面を１から８までの数字を順に並べる、花や動物などの絵にできるなど、他に数々の遊びができる。
【００１０】立体物は立方体と繋ぎ材に容易に分解できるので収納に大きなスペースを必要としない。
【００１１】
繋いでつくった立体物は置物や飾り品などに利用にできる。
【図面の簡単な説明】
【図１】立方体を示した斜視図である。
【図２】繋ぎ材の正面図である。
【図３】繋ぎ材のａ−ａ′断面図である。
【図４】立方体８個と繋ぎ材８個とで繋いだ例を示した図である。
【図５】図４の立体物を繋いだまま形態をかえた例を示した図である。
【符号の説明】
Ａ：立方体
２：繋ぎ材
３：貫通孔
４：心棒
５：繋ぎ部
６：切込み
【図１】
0003096834.tif 000003
【図２】
0003096834.tif 000004
【図３】
0003096834.tif 000005
【図４】
0003096834.tif 000006
【図５】
0003096834.tif 000007
(57)【要約】【課題】健康を保つために、腰をふったり、しりをツイストしたりする運動装置を提供する。【解決手段】ロッド１０の一端にはユーザ７０のはらと接触するために、横方向の接触体１１が設けられ、弧形の接触面１９を配置する。ロッド１０一端には、ハンドル１２又は取っ手１３が設けられ、もう一端に、殻体１４が設置される。殻体の中に、収容室１６が設けられローラー２０を入れる。ローラー２０の外側は、被覆層２３で覆われ、一つ又は一つ以上の凹穴２３及び突出体２７を設置するので、殻体１４に相対に回転しているうちに、振動の力を発生させ、はらを振動のように按摩させる。使用のときに、ユーザが手で、ロッド１０またはハンドル１２を握って、腰をふったり、しりをツイストしたりすると、ローラー２０は殻体１４の中で転がり、腰の肌を鍛錬しながら、はらを按摩する。【選択図】　　図２
0003096857.tif 000002
【実用新案登録請求の範囲】
【請求項１】
健康を保つために、腰をふったり、しりをツイストしたりするための運動装置であって、ロッド（１０）を備え、一端（１１）はユーザ（７０）に接触可能であり、もう一端には殻体（１４）が設置され、
ローラー（２０）が回転可能に、殻体（１４）の中に設置されていることを特徴とする運動装置。
【請求項２】
表示装置（３７）を配置可能であることを特徴とする請求項１記載の運動装置。
【考案の詳細な説明】
【０００１】
【考案の属する技術分野】
本考案は、健康を保つために、腰をふったり、しりをツイストしたりする運動装置に関する。
【０００２】
【従来の技術】
現在運動装置として、円い回転環で、ユーザの体を回ると、回転、運動できるものがある。
【０００３】
【考案が解決しようとする課題】
しかしながら、円い回転環が体の硬い部位、例えば、肋骨、腰骨、脊椎などを圧迫するので、ユーザはいつも疼痛感がある。
したがって本考案の目的は、健康を保つために、腰をふったり、しりをツイストしたりする運動装置を提供することにある。
【０００４】
【課題を解決するための手段】
上述の目的を達成するために、本考案の請求項１に記載の健康を保つために、腰をふったり、しりをツイストしたりする運動装置は、ロッド１０を備え、一端１１はユーザ７０に接触する。もう一端には、殻体１４が設置される。ローラー２０は転がるように、殻体１４の中に設置される。それで、腰の肌を鍛錬しながら、はらを按摩する。
【０００５】
【考案の実施の形態】
以下、本考案の実施例を図面に基づいて説明する。
図１に示すように本実施例による健康を保つために、腰をふったり、しりをツイストしたりする運動装置は主に、次の要素から形成される。
ロッド１０の一端にはユーザ７０のはらと接触するために、横方向の接触体１１が設けられる。それに、弧形の接触面１９を配置するので、快適に、腹によりかける。ロッド１０には、ハンドル１２又は取っ手１３が設けられている。ロッド１０のもう一端に、殻体１４が設置される。殻体の中に、収容室１６が設けられ、内壁１８から構成される。それで、ローラー２０を入れる。殻体１４の外には、異なる形状を採用可能であるが、収容室１６は球形又は他の非規則の形状を採用する。
【０００６】
図２にしめすように、ロッド１０又はハンドル１２又は取っ手１３に、パス１５は設置され、殻体１４の収容室１６と連通して、気を吹く方法又は金型成型など方法で作られる。ロッド１０又はハンドル１２と殻体１４との間に、ローラー２０より小さい内径を持つネック１７を設置する。ローラー２０は重い芯部２１があり、例えば、金属、セメントなどから製造される。その外側は、被覆層２３で覆われ、ゴム、プラスチック又は他の人造材料から作られる。その外囲には、さらに、一つ又は一つ以上の凹穴２３及び突出体２７を設置するので、殻体１４に相対に回転しているうちに、振動の力を発生させ、はらを振動のように按摩させる。使用のときに、ユーザが手で、ロッド１０またはハンドル１２を握って、腰をふったり、しりをツイストしたりすると、ローラー２０は殻体１４の中で転がり、腰の肌を鍛錬しながら、はらを按摩する。
【０００７】
ロッド１０又はハンドル１２の中に、回路基板３０、一つ又は一つ以上の電子素子、例えば、ＣＰＵ３１および、一つ又は一つ以上の電池３３を設置する。スイッチ３４はボタン３６を備え、殻体１４の収容室１６まで伸ばされる。ローラー２０がそれを押してタッチすると、ローラ２０と殻体１４との相対に転ぶ回数を計算可能である。さらに、表示装置３７を設けることで、前掲のローラ２０と殻体１４との相対に転ぶ回数や操作時間や他の情報を表すことも可能である。
【図面の簡単な説明】
【図１】本考案の一実施例による健康を保つために、腰をふったり、しりをツイストしたりする運動装置を示す立体図である。
【図２】本考案の一実施例による健康を保つために、腰をふったり、しりをツイストしたりする運動装置を示す断面図である。
【図３】本考案の一実施例による健康を保つために、腰をふったり、しりをツイストしたりする運動装置の実施状態を示す平面説明図である。
【符号の説明】
１０　　ロッド
１１　　接触体
１２　　ハンドル
１３　　取っ手
１４　　殻体
１５　　パス
１６　　収容室
１７　　ネック
１８　　内壁
１９　　弧形接触面
２０　　ローラー
２１　　芯部２１
２３　　被覆層
２４　　凹穴
２７　　突出体
３０　　回路基板
３１　　ＣＰＵ
３３　　電池
３４　　スイッチ
３６　　ボタン
３７　　表示装置
【図１】
0003096857.tif 000003
【図２】
0003096857.tif 000004
【図３】
0003096857.tif 000005
(57)【要約】【課題】着脱の容易な、着用して楽しさが生じる装飾用の付け爪を提供する事が課題である。【解決手段】先端部を下方に折り曲げ或いは先端の下方に凹部を形成し、表面に花或いは動物のキャラクター等の模様を施し、前記屈曲部或いは凹部を自然爪の先に嵌めて使用する装飾用付け爪として課題を解決している。【選択図】　　図２
0003096851.tif 000002
【実用新案登録請求の範囲】
【請求項１】
先端部を下方に屈曲させ或いは下方部に凹部を設け、表面に花柄等の絵柄を施して成り、前記屈曲部或いは凹部を自然爪の先端部に着脱自在に嵌合させて使用する装飾用付け爪。
【考案の詳細な説明】
【０００１】
【考案の属する技術分野】
本考案は、装飾用の付け爪に関するものである。
【０００２】
【従来の技術】
従来、装飾用付け爪は多種類のものが使用されているものの、主に付け爪の形状に特徴を有するもので、付け爪表面に絵柄等を施して成るものは限られおり、例えば、同一出願人よる実用新案に関わるものが公知であるが、いずれの付け爪も自然爪への固定には主に接着剤によるものである。
【０００３】
【考案が解決しようとする課題】
本案は、上記事情に鑑みなされたもので、簡単に着脱する事の出来る、特に女性が外出時に、飾り爪を着し、楽しい時間を過ごすことが出来る気分を演出し、満足感を得ることの出来る装飾用付け爪を提供する事を課題としている。
【０００４】
【課題を解決するための手段】
本考案は、表面に、花柄或いはキャラクター等の模様を施すか、或いは花柄、キャラクター等の形状に合わせた形成する付け爪の先端部を下方に折り曲げるか或いは先端下方部に凹部を形成し、この屈曲部或いは凹部に自然爪の先を嵌め込んで使用する装飾用の付け爪を提供する事で課題を解決している。
【０００５】
【考案の実施の形態】
以下、図面に示す実施例に従って本考案の実施態様について説明する。
【０００６】
図１は本考案の一実施例を示す使用状態図であり、自然爪５に模様２を描いてある付け爪本体１の屈曲部３に凹部４を設ける、凹部４に自然爪５の先端部が嵌合している状態を表している。
図２は、本考案付け爪本体の一実施例を示す断面図であり、付け爪本体１に花柄の模様部２を施し、先端部を下方に曲げた屈曲部３を有するものを示したものである。この模様部２は付け爪本体１と一体として形成することも、或いは別体として設けることも可能であり、亦、付け爪本体１の表面に、或いは前面の屈強部３に描いて表現する事も出来るものである。
使用に際しては、自然爪５の先に屈曲部３を嵌め込んで装飾するものであり、付け爪本体２の着脱が極めて容易である。
【０００７】
図３は、本考案付け爪の他の実施例で示す使用状態図であり、自然爪５の先端に、付け爪本体１の先端部下方に設ける凹部４を嵌合３させて使用している状態を表している。
付け爪本体１の表面に、模様部２を施すことは、図１に於けると同様である。
【０００８】
【考案の効果】
以上の説明の通り、本考案は、極めて簡単な構成に依り着脱が容易な、当初の課題を十分に解決している固有の効果を有する物である。
【図面の簡単な説明】
【図１】本考案の使用状態を示す外観図である。
【図２】本考案に関わる付け爪本体の一実施例を示す断面図である。
【図３】使用状態を示す断面図である。
【符号の説明】
１　　　　付け爪本体
２　　　　模様
３　　　　屈曲部
４　　　　凹部
５　　　　自然爪
【図１】
0003096851.tif 000003
【図２】
0003096851.tif 000004
【図３】
0003096851.tif 000005
(57)【要約】　　　（修正有）【課題】よりサウナ効果を高める健康増進に役立つサウナ風呂を提供する【解決手段】高濃度酸素の供給と気圧調節装置の装備された構造を特徴とする。【選択図】図１
0003096814.tif 000002
【実用新案登録請求の範囲】
【請求項１】
酸素の供給と気圧の調節が可能な装置を設置したことを特徴とするサウナ風呂。
【考案の詳細な説明】
【０００１】
［考案の属する技術分野］
本考案は人体の老廃物を汗と共に排出させる為のサウナ風呂に関するものであるが、単に高温にした環境を提供するものでなく、高濃度酸素又は気圧を積極的に利用しようとする、新しい発想のサウナ風呂に関するものである。
【０００２】
［従来の技術］
昔から健康の為に利用されてきたサウナ風呂は、発汗作用を増す方法として、温度、湿度、遠赤外線などの要素を工夫することで発汗を促していた。
【０００３】
［考案が解決しようとする課題］
従来のサウナ風呂は、入浴時に息苦しさを感じることがあるが、これは体感温度を高める為に湿度を余計に供給することが一因となっている、酸素不足がちになり、より不快である。
本考案は温度湿度に関連して、酸素、気圧を調節することの出来る装置を設けることで、よりサウナ効果を高める健康増進に役立つサウナ風呂を提供するものである。
【０００４】
［課題を解決する為の手段］
サウナの入浴をより快適にする為の手段として、本考案は高濃度酸素の供給と気圧調節装置の装備された構造を特徴とする、新しい発想のサウナ風呂である。
【０００５】
［考案の実施の形態］
図１は本考案の実施例の高濃度酸素気圧調節装置付サウナ室である。
サウナ室（８）には圧力調節装置（１）と高濃度酸素発生調節装置（３）が設置されている。
いづれも外部の装置（２）と装置（４）が配管によって接続されている。
【０００６】
［考案の効果］
本考案は上記のようにサウナ室内の温度、湿度、空間（容積）、の３ッの要素に酸素量と気圧の２ッのバランスをより積極的に取り入れ、酸素量を加え気圧を調節することにより、サウナ室の入浴時の不快感をなくし快適空間をつくり出すことができるのでサウナ効果は増し、心身ともにリフレッシュすることができる。
【図面の簡単な説明】
【図１】本考案を示した概略図である
【符号の説明】
0003096814.tif 000003
【図１】
0003096814.tif 000004
(57)【要約】【課題】構成素子にはコントロール手段やコントロール・ユニットなどを使用する必要はなく、構成素子の点数と組立のコストを低減できる目的を達成できる、電気魔法瓶湯ポンプ電気回路構造を提供する。【解決手段】整流ろ波電気回路の入力端とスイッチ素子との接続しあう箇所に保温片を接続し、且つ当該保温片が前記スイッチ素子のオフ時に、入力される交流電源をその両端部に印加して熱エネルギーを生じることによって電気魔法瓶の保温機能を提供し、且つ電気ポンプが給水する時に、スイッチ素子をブレークし、前記整流ろ波電気回路によって駆動手段に仕事電力を供給する。【選択図】　　　図１
0003096802.tif 000002
【実用新案登録請求の範囲】
【請求項１】
駆動手段と、
前記駆動手段に接続され、入力される電力を駆動手段の利用可能な仕事用直流電力に転換するための整流ろ波電気回路と、
前記電流ろ波電気回路に接続され、ブレークの時、前記整流ろ波電気回路の出力電圧を前記駆動手段に出力して仕事電力として利用する、スイッチ素子と、
前記整流ろ波電気回路の入力端と前記スイッチ素子の接続箇所に接続され、スイッチ素子がオフされる場合に、入力された交流電源を両端部に印加することによって熱エネルギーを生じ、それを保温に利用することによって省エネルギーの目的を図る、保温片とを少なくとも有することを特徴とする電気魔法瓶湯ポンプ電気回路構造。
【請求項２】
前記スイッチ素子として半導体コントロール素子を使用することを特徴とする請求項１に記載の電気魔法瓶湯ポンプ電気回路構造。
【請求項３】
前記半導体コントロール素子としてシリコン・コントロール素子を使用することを特徴とする請求項２に記載の電気魔法瓶湯ポンプ電気回路構造。
【考案の詳細な説明】
【０００１】
【考案の属する技術分野】
本考案は、電気魔法瓶湯ポンプ電気回路構造に係わり、特に保温作用によって省エネルギーの目的を図れる電気魔法瓶湯ポンプ電気回路構造に関する。
【０００２】
【従来の技術】
普段では、電気魔法瓶の駆動電気回路は、設計される際、すべてコントロール手段やコントロール・ユニットなどに加熱片を合せることによって保温や沸騰などの機能を実行する。例えば、日本特開平９−１５４７３３号と特開平５−１１５３７０号に開示されるものがそのようなものである。それらの構造の場合では、そのコントロール・ユニットの構成素子が電気魔法瓶の組立の際のコストを多くすることがあるので、一般の消費者に対しては、いずれの利点も有さず、それらの構成素子の点数と組立手数を効果的に減少できると共に、同様に保温と沸騰する機能を達成できるならば、マーケットではきっと競争力を大幅に向上できると予測された。
【０００３】
【考案が解決しようとする課題】
そのため、本考案は、保温片を利用することによって電熱転換の方式を利用して熱エネルギーを生じることにより、省エネルギーの目的を図れる電気魔法瓶を提供する。
【０００４】
また、本考案は、構成素子にはコントロール手段やコントロール・ユニットなどを使用する必要はないため、構成素子の点数と組立のコストを低減できる目的を達成できる、電気魔法瓶湯ポンプ電気回路構造を提供する。
【０００５】
【課題を解決するための手段】
前記の目的を図るために、本考案は、整流ろ波電気回路の入力端とスイッチ素子との接続しあう箇所に保温片を接続し、且つ当該保温片が前記スイッチ素子のオフ時に、入力される交流電源をその両端部に印加して熱エネルギーを生じることによって電気魔法瓶の保温機能を提供し、且つ電気ポンプが給水する時に、スイッチ素子をブレークし、前記整流ろ波電気回路によって駆動手段に仕事電力を供給するようにする、電気魔法瓶湯ポンプ電気回路構造を提供する。
【０００６】
以下に、本考案の特徴と技術内容を詳細に開示するために、添付図面を参照しながら、本考案の好適な実施の形態を詳細的で具体的に説明するが、それらの詳細的で具体的な説明による構成は単に本考案の実施可能な好適な実施例に過ぎず、本考案の主張範囲を狭義的に制限するものではない。
【０００７】
【考案の実施の形態】
図１に示すのは、本考案の電気魔法瓶湯ポンプ電気回路構造を示す電気回路図であり、本考案による電気魔法瓶湯ポンプ電気回路構造には、図に示すように、駆動手段１と、整流ろ波電気回路２と、スイッチ素子３と、保温片４とを備える。そのうち、駆動手段１として、本実施の形態において、モータを採用する。また、整流路は電気回路２は、整流ダイオードＤと、電解コンデンサーＣとを接続してなるものであり、その出力端が駆動手段１と接続され、且つ前記整流路は電気回路２が入力される電力を駆動手段１に供給するための仕事用直流電力（ＤＣ　１２Ｖ）に転換する。また、スイッチ素子３の一端が前記整流路は電気回路２の入力端と接続しつつ、他端部がアースに接続され、スイッチ素子３がブレークされる場合に、整流路は電気回路２の作用によってその出力電圧を駆動手段１に電力として供給し、駆動手段１に仕事を実行させ、スイッチ素子３として半導体コントロール素子、例えば一方向シリコン・コントロール整流器（ＳＣＲ）または双方向シリコン・コントロール整流器（ＴＲＡＩＣ）などの素子を採用できる。
【０００８】
また、保温片４が前記交流電源ＡＣと前記整流路は電気回路２の入力端とスイッチ素子３との接続しあう箇所に接続され、保温片４がスイッチ素子３のオフ時に、入力される交流電源ＡＣをその両端部に印加して熱エネルギーを生成する。
【０００９】
また、スイッチ素子３がコントロールされることによりブレークになる場合に、駆動手段１が交流電源ＡＣと、保温片４と、ダイオードＤと回路を形成するので、続けて直流仕事電力を取得できるようになる。
【００１０】
図２に示すように、スイッチ素子３がコントロールされて短絡状態になる場合に、保温片４が交流電源ＡＣと回路を形成し、そのため、その保温片４に熱エネルギーを生じさせることができ、電気魔法瓶に省エネルギーの目的を図らせることができるようになる。
【００１１】
【考案の効果】
前記に説明した通り、本考案の電気回路の設計によって少なくとも次のような優れた点を有する。
１．スイッチ素子によってオン／オフ作動を実行できると共に、保温片の作用に合せると、生成した熱エネルギーを保温に利用できるので、省エネルギーの目的を図れる。
２．所謂コントロール手段やコントロール・ユニットなどを不要にするので、構成素子の点数と組立の手数を大幅に減少できるため、コストダウンの目的を図れる。
３．電気魔法瓶の販売性と使用率を効果的に向上できる。
【図面の簡単な説明】
【図１】本考案の電気回路図である。
【図２】本考案のスイッチ素子がオフ状態になる場合の電気回路図である。
【符号の説明】
１　　駆動手段
２　　整流路は電気回路
３　　スイッチ素子
４　　保温片
ＡＣ　交流電源
【図１】
0003096802.tif 000003
【図２】
0003096802.tif 000004
(57)【要約】【課題】クッション性がよく、その上で過激な動きをしても、緩衝性がよいので床で打撲を受けない、ビーズとクッション材のプレートを用いたクッション敷物を提供する。【解決手段】２つの袋１と２を上下に重ねて係止し、下方の袋２にウレタンフォームプ、ＥＶＡ、その他のクッション性の材料よりなるクッション材のプレート４を収納し、上方の袋１にビーズ３を収納してクッション敷物とする。上下２つの袋を重ねる代わりに、袋を上下２室に分けてもよい。ビーズを１重または複数重ねの袋に収納し、それを上方の袋１または上方の室に収納してもよい。クッション材のプレートの上に、ビーズを収納した１重または複数重ねの袋を載置し、それらを１つの外袋内に収納してもよい。【選択図】　　　　図２
0003096807.tif 000002
【実用新案登録請求の範囲】
【請求項１】
上下２室に分けた袋の下方の室にクッション材のプレートを収納し、上方の室にビーズを収納してなるクッション敷物。
【請求項２】
上下２室に分けた袋の、下方の室にクッション材のプレートを収納し、ビーズを一重または複数重ねの袋に収納し、該袋を前記上方の室に収納してなることを特徴とする請求項１に記載のクッション敷物。
【請求項３】
クッション材のプレートを収納した袋の上方に、ビーズを収納した袋を重ねて、双方の袋を一体化してなるクッション敷物。
【請求項４】
クッション材のプレートの上にビーズを収納した袋を重ねて、それらを外袋内に収納してなるクッション敷物。
【請求項５】
ビーズを収納した袋が一重または複数重ねの袋よりなることを特徴とする請求項３または４に記載のクッション敷物。
【考案の詳細な説明】
【０００１】
【考案の属する技術分野】
この考案は、クッション性がよく、かつ、緩衝性のよいクッション敷物に関するものである。
【０００２】
【従来の技術】
従来から、袋にビーズを充填した敷物がある。
また、ウレタンフォームの敷物がある。
【０００３】
【考案が解決しようとする課題】
従来の袋にビーズを充填した敷物はクッション性が非常によいので、幼児や児童が敷物の上で飛び跳ねて倒れたり、頭から飛び込んだりすると、肘、膝、頭等を床に打ち付けて怪我をするおそれがある。
ウレタンフォームの敷物も厚さが薄いと、ビーズ充填敷物と同様に打撲し易いので、相当厚い敷物にしなければならない。
【０００４】
この考案は、クッション性がよく、かつ、その上で過激な動きをしても緩衝性がよいので床で打撲を受けないビーズとクッション材のプレートを用いたクッション敷物を提供することを目的とする。
【０００５】
【課題を解決するための手段】
上下２室に分けた袋の下方の室に、ウレタンフォーム、ＥＶＡ、その他のクッション材よりなるクッション材のプレートを収納し、上方の室にビーズを収納してクッション敷物とする。
上下２室に分けた袋の下方の室にクッション材のプレートを収納し、ビーズを一重または複数重ねの袋に収納し、該袋を前記上方の室に収納してもよい。
【０００６】
クッション材のプレートを収納した袋の上方に、ビーズを収納した袋を重ねて、双方の袋を一体化してクッション敷物とする。
【０００７】
クッション材のプレートの上にビーズを収納した袋を重ねて、それらを外袋内に収納してクッション敷物とする。
【０００８】
前記ビーズを収納した袋を、一重または複数重ねの袋とする。
【０００９】
【考案の実施の形態】
この考案の実施の形態を図面により説明する。
２つの袋１と２とを上下にして連結し、上方の袋１内にはビーズ３を充填し、下方の袋２内にはクッション材のプレート４を収納し、それぞれの袋を閉じる。１つの袋内に仕切り布を設けて上下２室に分けてもよい。
【００１０】
袋１および２は、布製やプラスチックシート製等柔軟なものであれば材料を問わない。
上方の袋１は、その上に人が座ったり、寝ころんだりしたときによく窪み、肌ざわりも心地好いように、一般にツーウエイ（２ｗａｙ）またはフリーウエイと言われ、二方向または四方八方へ伸縮する布地を用いるのが好ましい。
【００１１】
ビーズ３は、材料を限定しないが、角（カド）や尖端のない球状の小さな粒体が好ましい。
また、発泡スチロールのビーズが軽くて好ましい。
【００１２】
上下２段の袋１、２や仕切り布で内部を２室に分けた袋を用いないで、図３に示すように、外袋５内の底にクッション材のプレート４を収納し、その上に、ビーズ３を充填した袋６を収納し外袋５を閉じてもよい。
袋５や外袋６は、ツーウエイまたはフリーウエイの布で形成するのが好ましい。
【００１３】
図２に示す実施の形態においても、上方の袋１内に、ビーズ３を充填した袋６を収納してもよい。
袋６は、ツーウエイまたはフリーウエイの布で形成するのが好ましい。
【００１４】
ツーウエイまたはフリーウエイの布で形成した袋１、６は、クッション性が非常に良過ぎて、幼児等が過激な動きをすると、クッション材のプレート４が下に敷かれていても、頭や肘等を床で打って痛い場合があるので、図４に示すように、ビーズ３を袋６に収納し、更に袋６を袋７に収納、すなわち、ビーズ３を２重の袋に収納、更には３重の袋糖複数重ねの袋に収納すれば、緩衝性が高まり、幼児等が過激な動きをしても、急激に窪まず、安全であるので好ましい。
袋７も、ツーウエイまたはフリーウエイの布で形成するのが好ましい。
【００１５】
袋１、２、５、６、７において、ビーズ３やクッション材のプレート４の収納や、ビーズ３を収納した袋の収納のためにそれらを収納した後に開口を縫い付け等の方法で閉じてもよいが、各袋の洗濯や取替えのためには、ファスナーやホック等の係止具で開閉可能な構造にするのが好ましい。
【００１６】
【考案の効果】
この考案に係るクッション敷物は、クッション性が良くて気持ちがよく、しかも、緩衝性がよいので、その上で幼児等が過激な動きをしても、頭、肘、膝等を床に打ち付けることなく安全である。
【図面の簡単な説明】
【図１】クッション敷物の斜視図である。
【図２】クッション敷物の要部断面図である。
【図３】他の実施の形態のクッション敷物の要部断面図である。
【図４】他の実施の形態のビーズ収納の袋の要部断面図である。
【符号の説明】
１　袋
２　袋
３　ビーズ
４　クッション材のプレート
５　外袋
６　袋
７　袋
【図１】
0003096807.tif 000003
【図２】
0003096807.tif 000004
【図３】
0003096807.tif 000005
【図４】
0003096807.tif 000006
(57)【要約】【課題】  この考案は、箸は渡したが、調味料も必要と成る客に対して、失礼のないように、箸袋の中に、調味料の小袋を挿入する事により、解決する調味料入り箸袋を開発・提供することにある。【解決手段】  この考案は、醤油やソース等の液体調味料を、耐水性の小袋に入れ、これを箸袋内に、箸と一緒に入れる事により、顧客へのサービスの不便さを補うものであり、箸を入れた箸袋内に、ソース、醤油、マヨネーズ、ケチャップ、わさび、からし等の液体調味料を充填した袋を挿入した事を特徴とする調味料入り箸袋から構成される。【選択図】  図１
0003103506.tif 000002
【実用新案登録請求の範囲】
【請求項１】
箸（Ｘ）を入れた箸袋（１）内に、ソース、醤油などの液体調味料（２）を充填した袋（３）を挿入した事を特徴とする調味料入り箸袋。
【考案の詳細な説明】
【技術分野】
【０００１】
この考案は、調味料入り箸袋に関するものである。
【背景技術】
【０００２】
従来、デパート、スーパー、コンビニエンス・ストア等には、惣菜類や弁当等を販売しており、これら商品の購入者に、サービスとして、箸を付けて渡している。
【０００３】
そして、これら弁当の中身に、刺し身、てんぷら、フライ等がある場合、醤油やソース等の調味料を小さい合成樹脂製の容器に入れ、弁当の中に直接入れて販売されている。
【０００４】
しかし、昼休み等の弁当や惣菜を購入する客で混雑する店内では、商品を購入してくれた客に、箸は入れたが、調味料は忘れてしまう場合等があり、不都合なものであった。
【０００５】
しかし、これらを避ける方法として、客が自由に取れる様に、取り放題にしてしまうと、店側は楽ではあるが、食品を購入しない客、或いは、商品も購入しない客までが、大量に持ち去ってしまい、これも問題があった。
【０００６】
又、これまでに考案し、出願された割り箸袋には、爪楊枝や、おしぼり付きのものはあるが、調味料が入ったものは出願されていない。（例えば、特許文献１〜２を参照。）
【特許文献１】実開平５−８１０８６
【特許文献２】実開平６−６１７７８
【考案の開示】
【考案が解決しようとする課題】
【０００７】
そこで、この考案は、箸は渡したが、調味料も必要と成る客に対して、失礼のないように、箸袋の中に、調味料の小袋を挿入する事により、解決する調味料入り箸袋を開発・提供することにある。
【課題を解決するための手段】
【０００８】
この考案は、醤油やソース等の液体調味料を、耐水性の小袋に入れ、これを箸袋内に、箸と一緒に入れる事により、顧客へのサービスの不便さを補うものである。
【考案の効果】
【０００９】
この考案の効果として、箸を入れた箸袋内に、ソース、醤油などの液体調味料を充填した袋を挿入する事で、調味料を必要とする客が、気持ち良く美味しく食事をする事が出来る。
【００１０】
又、デパート、スーパー、コンビニエンス・ストア等において、昼休み等、混雑する時間帯でも、予め調味料入り箸袋を用意しておいて、必要な方に手渡すか、或いは、惣菜類や弁当箱に一緒に入れて販売する事で、店が混雑することなくスムースに業務を遂行する事が出来き、且つ、顧客も満足する等、極めて有益なる効果を奏するものである。
【考案を実施するための最良の形態】
【００１１】
この考案を実施するための最良の形態としては、割り箸袋の中に、調味料と一緒に、既に出願されている爪楊枝や、おしぼりを入れるとより重宝されるが、販売効果と製造コストのバランス等、総合的な判断を有する。
【実施例１】
【００１２】
そこで、この考案の一実施例を図１〜図２に基づいて詳述すると、箸（Ｘ）を入れた箸袋（１）内に、ソース、醤油などの液体調味料（２）を充填した袋（３）を挿入した事を特徴とする調味料入り箸袋から構成される。
【００１３】
そして、調味料（２）とは、その具体的な例を述べると、ソース、醤油、マヨネーズ、ケチャップ、わさび、からし等を言うが、これらの商品に限定される事はない。
【産業上の利用可能性】
【００１４】
この考案は、箸袋と小袋に入った調味料を一体に包装する技術を確立する事により、又、これらを販売する事により産業上の利用可能性を有する。
【図面の簡単な説明】
【００１５】
【図１】この考案の一実施例を示し、調味料入り箸袋の斜視図である。
【図２】この考案の一実施例を示し、調味料入り小袋の斜視図である。
【符号の説明】
【００１６】
１  箸袋
２  液体調味料
３  袋
Ｘ  箸
【図１】
0003103506.tif 000003
【図２】
0003103506.tif 000004
(57)【要約】【課題】  お玉として汁物の掬い取りに使用できると共に、味噌漉しの機能をも備えたお玉を提供する。【解決手段】  柄部１と椀状掬い部２とを備え、椀状掬い部２の一側縁を上方に延設すると共に、前記延設部３に複数の長孔からなる味噌解き用長孔部４を設けてなる。【選択図】  図３
0003103504.tif 000002
【実用新案登録請求の範囲】
【請求項１】
柄部と椀状掬い部とを備え、椀状掬い部の一側縁を上方に延設すると共に、前記延設部に複数の長孔からなる味噌解き用長孔部を設けてなることを特徴とするお玉。
【請求項２】
延設部が、椀状掬い部と一枚の金属板又は一体のプラスチックで形成されると共に、掬い部の湾曲面の延長湾曲面に形成した請求項１記載のお玉。
【請求項３】
延設部全体が半円形に形成してなる請求項２記載のお玉。
【請求項４】
味噌解き用長孔部の長孔を、椀状掬い部を中心とした放射状に、又は中央の長孔に平行な縦方向に、或いは外周縁に添う横方向に平行に形成してなる請求項２又３記載のお玉。
【請求項５】
柄部と椀状掬い部及び延設部が１枚の金属板又はプラスチックで一体に形成されている請求項２乃至４記載のいずれかのお玉。
【考案の詳細な説明】
【技術分野】
【０００１】
本考案は味噌解きに便利なお玉に関するものである。
【背景技術】
【０００２】
お玉は周知の通り、椀状掬い部に柄部を装着したもので、味噌汁などの汁物の掬い上げに使用しているものである。
【０００３】
また味噌汁を調理する際には味噌解きが必要で、味噌解きの用具としては、椀状部を網体とした味噌漉し具（特許文献１，２）が一般的である。しかしこれらの味噌漉し具は、通常の汁物を掬うお玉としては使用することができない。
【０００４】
そこで従前においては、お玉としての掬い取り機能を保持したまま、味噌解き機能を付与する手段として、掬い部の内面や同外面に凹凸部を設ける器具が提案されている（特許文献３，４）。
【０００５】
【特許文献１】実開平５−５０４３号公報。
【特許文献２】特開２００１−９５６９７号公報。
【特許文献３】特開２００２−２２３９６３号公報。
【特許文献４】登録実用新案第３０２０５５４号公報。
【考案の開示】
【考案が解決しようとする課題】
【０００６】
お玉として使用できると共に味噌解きにも使用できる器具は、前記特許文献３，４に開示されているが、特許文献１，２に開示されている味噌解き機能は具備していない。即ち特許文献１，２に開示されている味噌解き器具は、掬い部に入れた味噌を箸等で攪拌して汁に解かすようにしたものであり、また鍋内の味噌を押し潰すようにして汁に解かしているものである。このため味噌漉し具の味噌解きに比べ、味噌解きの適正さや作業能率の点で劣ってしまう。
【０００７】
即ち掬い部内での味噌解きは、良く解けていない味噌が鍋内に流出してしまう虞が多いし、鍋内の味噌を押し潰す場合には、的確な押し潰しによる味噌解きが難しく、必ずしも効率的な味噌解きとはいえない。
【０００８】
そこで本考案は、お玉として使用できると共に、味噌漉しの機能も備えた新規な構造のお玉を提案したものである。
【課題を解決するための手段】
【０００９】
本考案に係るお玉は、柄部と椀状掬い部とを備え、椀状掬い部の一側縁を上方に延設すると共に、前記延設部に複数の長孔からなる味噌解き用長孔部を設けてなることを特徴とするものである。
【００１０】
而して本考案のお玉は、延設部に関りなく椀状掬い部によって、通常のお玉として使用でき、味噌解きに際しては、味噌を掬い部内に入れて延設部上に位置させ、汁内に半漬け状態として、味噌を箸等で攪拌すると、長孔部が味噌漉しとして作用し、効果的な味噌解きを実施することができる。特に長孔を採用することで、お玉の掬い部全体（掬い部と延設部）の強度を低下させること無く、効率的な味噌解きを実現した。
【考案の効果】
【００１１】
本考案のお玉は前記構成を採用したことによって、味噌漉し機能を備えると共に、汁の掬い取りも行うことのできる便利なお玉を提供できたものである。
【考案を実施するための最良の形態】
【００１２】
次に本考案の実施の形態について説明する。実施形態に示したお玉は、基本的な構成は従前と同様に柄部１と柄部の先端に連結した椀状掬い部２とを備えたもので、特に椀状掬い部２は、延設部３と一体に形成されているものである。
【００１３】
延設部３は、平面視で、柄部１を南方とした場合の東方の側縁を、椀状掬い部２の湾曲面の延長湾曲面で、且つ外周縁が半円形に形成してなるものである。これは右利きの者がお玉として使用した場合に、味噌解き用長孔部が、掬い取りの支障とならないためである。勿論左右兼用として北方側縁に延設部３を設けても良い。
【００１４】
またこの延設部３には、椀状掬い部２を中心とした放射状に細幅の複数の長孔を、ほぼ延設部３の全体に穿設して味噌解き用長孔部４を設けたものである。勿論中央に位置する長孔の左右に縦方向（中心から周縁に向かう方向）に平行に設けても良いし、或いは外周縁に添う横方向で平行に形成しても良い。
【００１５】
而して通常のお玉として使用した場合には、図２に示したとおり、延設部３に関りなく汁Ａを椀状掬い部２で掬い取ることができるものである。
【００１６】
また味噌解きとして使用する場合には、図３に示すとおり、延設部３上に解き対象の味噌Ｂを位置させて（残余の味噌は掬い部２上に置いておく）、汁Ａ内に半漬け状態として、味噌Ｂを箸Ｃ等で攪拌するもので、この攪拌によって長孔部４が味噌漉しとして作用し、解けた味噌が汁内に拡散し、効果的な味噌解きが実現する。
【００１７】
特に延設部３と椀状掬い部２の湾曲面が連続的であり、且つ一枚の金属板又は一体のプラスチックで形成すると、製造上、通常のお玉製造と何ら変わりなく、特別な工程を要せずに本考案のお玉を製出できる。
【００１８】
また延設部３を半円形に形成することで、味噌解きに際しての延設部の外周縁を汁水面と一致させ、延設部に無駄な材料を使用しないようにしたものである。
【００１９】
尚本考案のお玉は、通常のお玉と同様に、柄部と掬い部（延設部も含む）とを各別に形成し、鋲結等で連結する他、柄部と椀状掬い部（延設部も含む）が１枚の金属板又はプラスチックで一体に形成されているものでも良い。
【図面の簡単な説明】
【００２０】
【図１】本考案の実施形態の正面図。
【図２】同使用状態の説明図（汁掬い使用時）。
【図３】同使用状態の説明図（味噌解き使用時）。
【符号の説明】
【００２１】
１        柄部
２        椀状掬い部
３        延設部
４        味噌解き用長孔部
【図１】
0003103504.tif 000003
【図２】
0003103504.tif 000004
【図３】
0003103504.tif 000005
(57)【要約】【課題】フェンスや塀等の上に設置する侵入防止用の組み立て式忍び返しを提供する。【解決手段】  忍び返しのシャフトの取り付けフレームに空間を設け、シャフトの固定にバネ座金やナットの使用を可能とした中空フレーム構造を特徴とする組み立て式忍び返し。【選択図】    図１
0003103501.tif 000002
【実用新案登録請求の範囲】
【請求項１】
忍び返しのシャフトの取り付けフレームに空間を設け、シャフトの固定にバネ座金やナットの使用を可能とした中空フレーム構造を特徴とした組み立て式忍び返し。
【考案の詳細な説明】
【技術分野】
【０００１】  本考案は、フェンスや塀等の上に設置する侵入防止用の組み立て式忍び返しに関するものである。
【背景技術】
【０００２】  従来、板状の取り付けフレームにシャフトを溶接した一体構造のもの、あるいは一体で成形された鋳造品等を忍び返しとして使用していた。
【考案の開示】
【考案が解決しようとする課題】
【０００３】    そのために欠のような欠点があった。
イ．製品が一体構造の為、在庫保管の際には、かさばっていた。
ロ．一体の構造物として成形した後、塗装やメッキ等の最終表面仕上げが必要であった。
ハ．シャフトとフレームの取り付け後、一部のシャフトのみの取り替え交換が容易に出来    なかった。
本考案は、以上の欠点を解決するためになされたものである。
【課題を解決するための手段】
【０００４】  忍び返しのシャフトの取り付けフレームに空間を設け、シャフトの固定にバネ座金やナットの使用を可能とした中空フレーム構造を特徴とした組み立て式忍び返しである。
【考案の効果】
【０００６】  個々に最終表面仕上されたシャフトやフレームを、構成部材状態での在庫や出荷が可能となり、在庫管理や運送費の軽減につながる。またシャフトの組み換えや取り替えが容易に出来ることから、多様なニーズに対応させることができる。
【考案を実施するための最良の形態】
【０００６】  以下、本考案の実施の形態について説明する。
イ．中空構造としたフレーム（２）を成型し、その上面にシャフト（１）の取り付け穴（４）を設ける。
ロ．シャフト（１）の下端に、ネジ部（３）を設ける。
ハ．ネジ部（３）を取り付け穴（４）に通し、シャフト（１）をバネ座金（５）やナット（６）を使用して固定する。
本考案は以上のような構造でこれを使用するときは、出荷前または使用する前に組み立てを行う。
【実施例】
【０００７】  フェンスや塀等の上に図３の例に示すような固定ボルト（７）や、図４の例に示すような固定板（８）と固定ネジ（９）を使用する方法で、フレーム（２）を単体または連続して固定することができる。
【図面の簡単な説明】
【０００８】
【図１】本考案の分解斜視図
【図２】本考案の組付斜視図
【図３】本考案の固定例を示す斜視図
【図４】本考案の補助固定板を使用した固定例を示す斜視図
【符号の説明】
【０００９】１  シャフト
２  フレーム
３  ネジ部
４  取り付け穴
５  バネ座金
６  ナット
７  固定ボルト
８  固定板
９  固定ネジ
【図１】
0003103501.tif 000003
【図２】
0003103501.tif 000004
【図３】
0003103501.tif 000005
【図４】
0003103501.tif 000006
(57)【要約】      （修正有）【課題】固定プレートの表裏両面を、使用できるようにした生活苔断桟の固定プレートを提供する。【解決手段】この考案は、生海苔を切断する際に、回転ナイフと組み合せて使用する複数の透孔を有する固定プレートにおいて、表裏両面を同一仕上げ面としたことを特徴とする生海苔切断機の固定プレートにより目的を達成した。【選択図】図１
0003103510.tif 000002
【実用新案登録請求の範囲】
【請求項１】
生海苔を切断する際に、回転ナイフと組み合せて使用する複数の透孔を有する固定プレートにおいて、表裏両面を同一仕上げ面としたことを特徴とする生海苔切断機の固定プレート。
【請求項２】
生海苔を切断する際に、回転ナイフと組み合せて使用する複数の透孔を有する固定プレートにおいて、表裏両面を同一仕上げ面とすると共に、表裏両面の中央部へ夫々軸受け取付け部を設けたことを特徴とする生海苔切断機の固定プレート。
【考案の詳細な説明】
【技術分野】
【０００１】
この考案は、固定プレートを表裏両面共使用できるようにすることを目的とした生海苔切断機の固定プレートに関する。
【背景技術】
【０００２】
生海苔の切断には、多数の透孔を有する固定プレートの片面（裏面）に回転ナイフを加圧当接して、前記透孔を通過する生海苔を、前記透孔の縁部と、ナイフとにより切断している。従って、固定プレートの裏面は、回転ナイフを当接させるために精密な平面仕上げをするのが普通であった。
【特許文献１】実開平２−１４５０９０
【考案の開示】
【考案が解決しようとする課題】
【０００３】
前記従来の固定プレートは、裏面を平面仕上げしてあって、回転ナイフと加圧当接するようになっているが、表面側は固定する為に、周縁にリブを有し、非平面になっている。
【０００４】
従って、回転ナイフとの当接は裏面に限られていたので、平面性が悪くなると裏面を平面処理するのみであって、耐用年限が少なかった。
【課題を解決するための手段】
【０００５】
然るにこの考案は、表裏面を平面仕上げ面としてあるので、回転ナイフとの当接面が表裏両面となり、耐用年限を２倍に延長することに成功したのである。
【０００６】
即ちこの考案は、生海苔を切断する際に、回転ナイフと組み合せて使用する複数の透孔を有する固定プレートにおいて、表裏両面を同一仕上げ面としたことを特徴とする生海苔切断機の固定プレートであり、生海苔を切断する際に、回転ナイフと組み合せて使用する複数の透孔を有する固定プレートにおいて、表裏両面を同一仕上げ面とすると共に、表裏両面の中央部へ夫々軸受け取付け部を設けたことを特徴とする生海苔切断機の固定プレートである。
【０００７】
前記のように、固定プレートの表裏両面を回転ナイフとの当接面としたけれども、中央部に軸受け具を固定できるようにしたので、固定プレートは表裏の区別がなくなり、何れも使用することができる。従って、ほぼ２倍の耐用年限が期待できる。またシーズン（１０月〜翌年３月）中に裏面だけではその平面性を修正処理しなくてはならないが、表面を使用すれば平面性の修正は不用になる利点がある。
【０００８】
この考案は生海苔について説明したが、他の分野の切断装置に採用することができる。
【考案の効果】
【０００９】
この考案は、固定プレートの表裏両面を何れも回転ナイフの当接面としたので、恰も２枚の固定プレートを使用すると同様となり、耐用年限を２倍に増加させた効果がある。
【考案を実施するための最良の形態】
【００１０】
この考案は、固定プレートの表裏両面を仕上げ面とした考案である。従って、回転ナイフを表裏面の何れにも加圧当接して使用することができるので、偏摩した場合には、表面及び裏面を修正し、従来の２倍の期間使用することができる。
【実施例】
【００１１】
この考案の実施例を図１について説明すると、円盤１に多数の同一直径の透孔２、２を設け、その表裏面の中央部に、軸受け４を固定する為の円形凹入部３、３を設けて固定プレート５を構成した。図中６は軸受け固定用のボルト孔である。
【００１２】
図２は従来使用されていた固定プレート５ａであって、表面側の外周部に環状突条７を有し、固定時にはこの突条部を加圧固定している。
【００１３】
この考案によれば、図２のように、表裏同一形状であるから、表面側が摩耗したならば裏面を使用することができるので、２倍の耐用期間を確保することができる。
【図面の簡単な説明】
【００１４】
【図１】（ａ）この考案の固定プレートの一部を省略した平面図、（ｂ）同じくＡ−Ａ断面図。
【図２】（ａ）従来の固定プレートの一部を省略した平面図、（ｂ）同じくＢ−Ｂ断面図。
【符号の説明】
【００１５】
１  円盤
２  透孔
３  凹入部
４  軸受け
５  固定プレート
７  環状突条
【図１】
0003103510.tif 000003
【図２】
0003103510.tif 000004